(57)【要約】【課題】アンロード時に、スライダがディスクから引き剥がされた直後には、スライダがディンプル側に跳ね上がり、フレクシャとディンプルが衝突し、騒音となっていた。【解決手段】スライダ４とサスペンション２２の間の離間距離を規制する規制部２５ａと、ディンプル２３形成部を前記離間距離範囲内でディンプル２３がスライダ４の背面に取付けられたジンバル２５と接触するように付勢するばね部２３ｂとを設ける。【選択図】  図２
2004246974.tif 000002
【特許請求の範囲】
【請求項１】
記録媒体である磁気ディスクと、前記磁気ディスクに対して記録再生を行う磁気ヘッドと、前記磁気ヘッドを搭載するスライダと、前記スライダが取付けられたジンバルと、前記ジンバルが取付けられたサスペンションと、前記サスペンションの一部に形成されたディンプルと、前記スライダが前記磁気ディスク上を微小間隔にて浮上している状態と前記スライダが前記磁気ディスクに対して離脱している状態を移行させるロード／アンロード機構とを備え、前記サスペンションは前記スライダの背面に取付けられた前記ジンバルを介して前記スライダに押付け荷重を与える構成となっており、前記スライダは前記磁気ディスクとの相対運動により負圧力を発生する構成となっている磁気ディスク装置において、前記スライダと前記サスペンションの間の離間距離を規制する規制部と、前記ディンプル形成部を前記離間距離範囲内で、前記ディンプルが前記スライダの背面に取付けられた前記ジンバルと接触するように付勢するばね部とを設けたことを特徴とする磁気ディスク装置。
【請求項２】
前記ばね部を、前記ディンプル形成部に曲げ部として構成したことを特徴とする請求項１に記載の磁気ディスク装置。
【請求項３】
記録媒体である磁気ディスクに対して記録再生を行う磁気ヘッドを搭載したスライダと、前記スライダを支持するための、ジンバル部、前記ジンバル部を支持するサスペンション部及び前記サスペンション部の一部に形成されたディンプル部を有する磁気ヘッド支持機構とを備えたスライダと磁気ヘッド支持機構の組立体において、前記磁気ヘッド支持機構に、前記スライダと前記サスペンション部の間の離間距離を規制する規制部と、前記ディンプル形成部を、前記ディンプル部が前記離間距離範囲内で前記スライダの背面に取付けられた前記ジンバル部と接触するように付勢するばね部とを設けたことを特徴とするスライダと磁気ヘッド支持機構の組立体。
【請求項４】
前記スライダは磁気ディスクとの相対運動により負圧力を発生する構造を有するスライダであること特徴とする請求項３に記載のスライダと磁気ヘッド支持機構の組立体。
【発明の詳細な説明】
【０００１】
【発明の属する技術分野】
本発明は磁気ディスク装置に用いられ、磁気ヘッドを搭載したスライダを支持する磁気ヘッド支持機構に関する。
【０００２】
【従来の技術】
従来、ロードビームとこのロードビームに溶接されたフレクシャとを有する磁気ヘッド支持機構が知られている（例えば、特許文献１参照）。フレクシャには、曲げ加工により、スライダ取り付け面に近い部分にフックが形成されている。ロードビームには、スライダに荷重を負荷するディンプルのほか、先端付近を絞り加工することでリフトタブが形成されている。アンロード時に、リフトタブを磁気ディスク装置に設けられたランプに接触させてリフトし、ディンプルがフレクシャから離れた後、フックがロードビームに接触すると、スライダを磁気ディスクから引き剥がすための大きな力を作用させることができる。
【特許文献１】
特開２０００−２９８９６６号公報（第３−４頁、図１）
【０００３】
【発明が解決しようとする課題】
従来の磁気ヘッド支持機構では、アンロード時にリフトタブがランプに乗り上げると、ディンプルはスライダが固定されているフレクシャ（ジンバルとも呼ぶ）から離れてしまう。これは、スライダに作用する負圧力により、スライダがディスク側に吸引される力が生じるためである。さらにロードビームが上がると、フックがフレクシャを上方に引き上げ、スライダがディスクから引き剥がされる。その直後には、スライダがディンプル側に跳ね上がり、フレクシャとディンプルが衝突する。この衝突時に、例えば衝突音が発生することなどが考えられる。しかし従来の磁気ヘッド支持機構では、フレクシャとディンプルが衝突することについての配慮が十分ではなかった。
【０００４】
本発明の目的は、アンロード時のディンプル部の衝突を軽減または回避することにある。また本発明の他の目的は、ディンプル部の衝突音を軽減し、騒音の小さな磁気ディスク装置を提供することにある。
【０００５】
【課題を解決するための手段】
上記目的を達成するために、記録媒体である磁気ディスクに対して記録再生を行う磁気ヘッドを搭載したスライダと、スライダを支持するための、ジンバル部、ジンバル部を支持するサスペンション部及びサスペンション部の一部に形成されたディンプル部を有する磁気ヘッド支持機構とを備えたスライダと磁気ヘッド支持機構の組立体において、磁気ヘッド支持機構に、スライダとサスペンション部の間の離間距離を規制する規制部と、ディンプル形成部を、ディンプル部が離間距離範囲内でスライダの背面に取付けられたジンバル部と接触するように付勢するばね部とを設ける。    また上記目的を達成するために、本発明の磁気ディスク装置は、記録媒体である磁気ディスクと、磁気ディスクに対して記録再生を行う磁気ヘッドと、磁気ヘッドを搭載するスライダと、スライダを保持するサスペンションと、サスペンションに取付けられているジンバルと、サスペンションの一部に形成されたディンプルと、スライダが磁気ディスク上を所定の微小間隔にて浮上している状態とスライダが磁気ディスクに対して離脱している状態を移行させるロード／アンロード機構とを備え、サスペンションはスライダの背面に取付けられたジンバルを介してスライダに押付け荷重を与える構成となっており、スライダは磁気ディスクとの相対運動により負圧力を発生する構成となっている磁気ディスク装置において、スライダとサスペンションの間の離間距離を規制する規制部と、ディンプル形成部を離間距離範囲内で、ディンプルがスライダの背面に取付けられたジンバルと接触するように付勢するばね部を設ける。
さらに好ましくは、前記ばね部を、前記ディンプル形成部に曲げ部として構成する。
【０００６】
これにより、アンロード時のディンプル部の衝突音を軽減し、騒音の小さな磁気ディスク装置を提供することができる。
【０００７】
【発明の実施の形態】
本発明の第１の実施例を図１から図４を用いて説明する。
【０００８】
図１に本発明の磁気ヘッド支持機構２を搭載した磁気ディスク装置の全体図を示す。図１の円内に示した磁気ヘッド支持機構２の全体図を図２（１）に、さらにディンプル２３周辺の斜視図を図２（２）に示す。図３は、サスペンション２２（ロードビームとも呼ぶ）のディンプル２３部のみの部分断面図である。
【０００９】
情報を記録するための磁気ディスク１はスピンドルに積層されている。情報を磁気ディスク１に記録・再生するための磁気ヘッド（図示せず）は磁気ヘッド支持機構２に取付けられたスライダ４に搭載されている。磁気ヘッド支持機構２はアーム６に連結されている。磁気ヘッドは、磁気ヘッド支持機構２、アーム６、ピボットベアリング及びボイスコイルモータからなる位置決め機構７により、所定の半径位置に位置決めされる。これらの機構は箱型のベース８に搭載され、カバー（図示せず）により密封されている。また、位置決め機構７とランプ５によりロード／アンロード機構を構成している。スピンドルにより高速に回転する磁気ディスク１に対して、スライダ４が微小隙間をもって浮上している状態をロード状態と呼ぶ。一方、磁気ヘッド支持機構２の先端であるタブ２４が、ランプ５に乗り上げてスライダ４が磁気ディスク１から離脱している状態をアンロード状態と呼ぶ。そして、アンロード状態からロード状態に移行する動作をロード動作と呼び、逆の動作をアンロード動作と呼ぶ。ロード動作及びアンロード動作のための推力は、ボイスコイルモータから得られる。
【００１０】
図２を用いて、磁気ヘッド支持機構２の詳細を説明する。アーム取付部２０は、荷重曲げ部２１に連接し、荷重曲げ部２１はサスペンション２２に連接している。サスペンション２２の先端には、タブ２４が設けられている。磁気ヘッドを搭載するスライダ４は、その背面がジンバル２５に接着されている。ジンバル２５はサスペンション２２に部分的に溶接されており、磁気ディスク１の記録面内方向のスライダ４の姿勢を良好に保つための部材である。一方、記録面の垂直方向に対しては、柔軟に支持している。サスペンション２２には、ジンバル２５に接触する位置に、ディンプル２３が形成されている。ディンプル２３は半球形状の部材であり、スライダ４側に突出している。ディンプル２３の近傍には曲げ部２３ｂが形成されている。曲げ部２３ｂは、図３のようにあらかじめ塑性変形をさせておくものである。曲げ部２３ｂは、ディンプル２３をスライダ４側に変位させるばねの役割を果たす。さらに、曲げ部２３ｂと荷重曲げ部２１の作用により、ディンプル２３はジンバル２５を介してスライダ４をディスク側に押し付けている。ディンプル２３の回りには開口窓２３ａが設けられており、開口窓２３ａからスライダ４を取り付けるジンバル２５の一部が見えている。この窓２３ａは、スライダ４をジンバルに接着するときに、ジンバル２５あるいはスライダ４を把持する治具を挿入するために使われる。ジンバル２５の一部には、フック２５ａが形成されている。フック２５ａはスライダ４を磁気ディスク１から離脱させるための部材である。
【００１１】
曲げ部２３ｂの機能を図４を用いて説明する。図４にディンプル２３周辺の部分断面図を示す。図４は図２のＡＡ部分断面図である。
【００１２】
図４（１）は、スライダ４が磁気ディスク１に対して所定の微小隙間をもって浮上しているロード状態である。ジンバル２５の接合部２５ｂは、サスペンション２２に溶接され、他端側には可撓性部２５ｃに連接し、さらに取付部２５ｄに連接している。取付部２５ｄには、スライダ４が取り付けられ、その反対側からディンプル２３に接触することにより押付け荷重が与えられている。押付け荷重は、あらかじめ塑性変形させておいた荷重曲げ部２１と曲げ部２３ｂがほぼ水平に伸びることにより発生する。
【００１３】
図４（２）は、アンロード動作の途中状態である。スライダ４は磁気ディスク１上に浮上している。タブ２４はサスペンション２２の先端に設けられている。タブ２４がランプ５に乗り上げることにより、サスペンション２２は上方に押し上げられる。これにより、サスペンション２２はフック２５ａに接触する。フック２５ａにより、スライダ４に対するサスペンション２２の離間距離を規制している。離間距離は図４（１）に示したＬとなる。
【００１４】
さらに、あらかじめ曲げ部２３を設けることにより、ディンプル２３はスライダ４側に変位して、スライダ４の背面のジンバル２５と離れることはない。さらにサスペンション２２が押し上げられることにより、スライダ４を上方に持ち上げる方向の力ｆがフック２５ａに作用し、スライダ４が磁気ディスク１に対して離脱する。図４（３）がこの状態（スライダ４と磁気ディスク１は完全に離れており浮上していない状態）である。
【００１５】
曲げ部２３ｂは、ディンプル２３をスライダ４側に変位させるばね部材として機能している。
【００１６】
アンロード動作の途中状態において、フック２５ａに作用する力ｆが必要な理由は、スライダ４が浮上している状態では、スライダ４と磁気ディスク１の間に負圧力が発生しており、これにより磁気ディスク１に対してスライダ４には吸引力が作用しているからである。この吸引力は、従来技術で述べた負圧力併用スライダであるために発生するものである。従来技術で述べたが、負圧力併用スライダは、負圧力とは逆方向の正圧力（スライダ４が磁気ディスク１に対して反発する力）も作用している。
【００１７】
図４（１）の矢印のように、浮上状態では、荷重曲げ部２１と曲げ部２３ｂによる押付け荷重と負圧力の和が正圧力と釣り合っている。これを式であらわすと、
０＝押付け荷重＋負圧力−正圧力
となる。
【００１８】
タブ２４がランプ５に乗り上げ始めてることにより、サスペンション２２が上方に変位すると、押付け荷重は減少し始める。そして、サスペンション２２がフック２５ａに接触し、力ｆが発生し始める。さらに、タブ２４がランプ２５に沿って上がることにより、
ｆ＞押付け荷重＋負圧力−正圧力
となった時に、スライダ４が磁気ディスク１から離脱する。
【００１９】
以上の構成により、アンロード動作時に、スライダ４の背面のジンバル２５に対してディンプル２３が離れることがない。すなわちディンプル２３は、曲げ部２３ｂのばね効果によって、フック２５ａによって規制された離間距離範囲内で、常にスライダ４の背面に取付けられたジンバル２５と接触するように付勢されている。従って、アンロード動作時に、スライダ４の背面のジンバル２５がディンプル２３に衝突することがないので、衝突音を軽減することができる。ひいては騒音の小さな磁気ディスク装置を提供できる。
【００２０】
本発明の第２の実施例を図５から図７を用いて説明する。
【００２１】
図５に本発明の磁気ヘッド支持機構２の上面図を示す。図６には図５に示した磁気ヘッド支持機構のサスペンション２２のみを取り出した平面図を示す。図７は図６のＢＢ断面図である。
【００２２】
第２の実施例は、第１の実施例のディンプル２３近傍の曲げ部２３ｂの構造を変形したものである。ディンプル２３はサスペンション２２に設けられた二つの開口窓２３ａの間に設けられている。このような構造にしたことにより、フック２５ａを１個に減らすることができる。ディンプル２３近傍の曲げ部２３ｂは、図７のようにあらかじめ塑性変形をさせておくものである。
【００２３】
以上の構成においても、アンロード動作時に、スライダ４の背面のジンバル２５に対してディンプル２３が離れることがない。従って、スライダ４の背面のジンバル２５がディンプル２３に衝突することがないので、衝突音を軽減することができる。ひいては騒音の小さな磁気ディスク装置を提供できる。
【００２４】
本発明の第３の実施例を図８及び図９を用いて説明する。
【００２５】
図８に本発明の磁気ヘッド支持機構２のサスペンション２２のみを取り出した部分断面図を示す。図９は、ロード状態、アンロード動作の途中状態及びアンロード状態のディンプル２３近傍の部分断面図である。
【００２６】
第３の実施例は図８のように、第１の実施例のディンプル２３近傍に曲げ部を構成しなかったものである。そのかわりに、図９（１）のようにロード状態（スライダ４は磁気ディスク１上に浮上している状態）におけるディンプル２３は、サスペンション２２に対してスライダ４の逆側に変形するように構成したものである。そして、図９（２）アンロード動作途中状態（スライダ４は磁気ディスク１上に浮上している状態）及び（３）アンロード状態（スライダ４は磁気ディスク１から離脱した状態）のように、アンロード動作時にもディンプル２３が、スライダ４の背面のジンバル２５から離れないようにしたものである。ただし、第３の実施例は第１の実施例よりも製造上の困難さがある。
【００２７】
第３の実施例では、あらかじめ塑性変形をさせておくディンプル２３近傍の曲げ部が存在しないため、十分な押付け荷重を得るためには、図９（１）の角度Ｐをできるだけ小さくする必要がある。角度Ｐを小さくするということは、ディンプル２３の変位量が小さくなることになるので、アンロード動作時にもディンプル２３が、スライダ４の背面のジンバル２５から離れないようにするには、図９（１）の離間距離ＬＬを極力小さくする必要がある。図９では、構造を分かり易くするために、角度Ｐ及び離間距離ＬＬを大きめに表現している。離間距離ＬＬを小さくすることは、フック２５ａやディンプル２３等の寸法管理を厳しくする必要があるため、製造上の困難さがある。
【００２８】
【発明の効果】
本発明によれば、アンロード動作時に、スライダ４の背面のジンバルに対してディンプルが離れることがない。従って、スライダの背面のジンバルがディンプルに衝突することがないので、衝突音を軽減することができる。ひいては騒音の小さな磁気ディスク装置を提供できる。
【図面の簡単な説明】
【図１】本発明の磁気ディスク装置の第１の実施の形態の全体構造を表す透視上面図である。
【図２】本発明の磁気ディスク装置の第１の実施の形態を構成する磁気ヘッド支持機構の上面図及び部分斜視図である。
【図３】本発明の磁気ディスク装置の第１の実施の形態を構成する磁気ヘッド支持機構のサスペンションの部分断面図である。
【図４】本発明の磁気ディスク装置の第１の実施の形態を構成する磁気ヘッド支持機構とスライダの部分断面図である。
【図５】本発明の磁気ディスク装置の第２の実施の形態を構成する磁気ヘッド支持機構の上面図である。
【図６】本発明の磁気ディスク装置の第２の実施の形態を構成する磁気ヘッド支持機構のサスペンションの上面図である。
【図７】本発明の磁気ディスク装置の第２の実施の形態を構成する磁気ヘッド支持機構のサスペンションの部分断面図である。
【図８】本発明の磁気ディスク装置の第３の実施の形態を構成する磁気ヘッド支持機構のサスペンションの部分断面図である。
【図９】本発明の磁気ディスク装置の第３の実施の形態を構成する磁気ヘッド支持機構とスライダの部分断面図である。
【符号の説明】
１…磁気ディスク、２…磁気ヘッド支持機構、４…スライダ、５…ランプ、６…アーム、７…位置決め機構、８…ベース、２０…アーム取付部、２１…荷重曲げ部、２２…サスペンション、２３…ディンプル、２３ａ…開口窓、２３ｂ…曲げ部、２４…タブ、２５…ジンバル、２５ａ…フック、２５ｂ…接合部、２５ｃ…可撓性部、２５ｄ…取付部。
【図１】
2004246974.tif 000003
【図２】
2004246974.tif 000004
【図３】
2004246974.tif 000005
【図４】
2004246974.tif 000006
【図５】
2004246974.tif 000007
【図６】
2004246974.tif 000008
【図７】
2004246974.tif 000009
【図８】
2004246974.tif 000010
【図９】
2004246974.tif 000011